(57)【要約】      （修正有）【課題】装飾された揮散体を用いた揮散装置を、使用状態をイメージできるように収容した揮散装置収容体を提供する。【解決手段】開口した首部を有し、薬液が収容された薬剤容器１と、薬剤容器の開口に差し込み可能な吸液芯２２、及び吸液芯の先端部に取付けられ、装飾が施された揮散部２１、を有する揮散体と、薬剤容器及び揮散体を支持する支持体と、揮散体及び薬剤容器を外部から視認可能な窓が設けられた梱包箱３と、を備え、支持体は、薬剤容器を着脱自在に収容可能な第１凹部を有する第１収容部と、揮散体の揮散部を収容可能な第２凹部を有する第２収容部と、揮散体の吸液芯が収容され、第１及び第２収容部とは反対側を向く、第３収容部４４と、を備え、第２凹部は、薬剤容器の首部が配置される箇所において第１凹部と連通し、第２凹部に形成された貫通孔を介して第３収容部と連通し、吸液芯が貫通孔４３８を介して第２収容部から第３収容部へ延びる。【選択図】図７
2014234228.tif 000002
【特許請求の範囲】
【請求項１】
上部が開口した首部を有し、薬液が収容された薬剤容器と、
前記薬剤容器の開口に差し込み可能となっている吸液芯、及び当該吸液芯の先端部に取付けられ装飾が施された揮散部、を有する揮散体と、
前記薬剤容器及び揮散体を支持する支持体と、
前記揮散体及び薬剤容器を支持した状態で前記支持体を収容するとともに、前記揮散体及び薬剤容器を外部から視認可能な窓が設けられた梱包箱と、
を備え、
前記支持体は、
前記薬剤容器を着脱自在に収容可能な第１凹部を有する第１収容部と、
前記揮散体の揮散部を収容可能な第２凹部を有する第２収容部と、
前記揮散体の吸液芯が収容され、前記第１及び第２収容部とは反対側を向く、第３収容部と、
を備え、
前記第２凹部は、前記薬剤容器の首部が配置される箇所において前記第１凹部と連通し、前記第２凹部に形成された貫通孔を介して前記第３収容部と連通し、前記吸液芯が前記貫通孔を介して前記第２収容部から第３収容部へ延びるように配置可能な、薬剤揮散装置収容体。
【請求項２】
前記吸液芯は屈曲状態を維持可能に構成されている、請求項１に記載の薬剤揮散装置収容体。
【請求項３】
前記吸液芯は、
薬液が浸透可能な材料で形成された紐状の本体部と、
前記本体部の内部に当該本体部に沿って設けられ、塑性変形可能な線状の保形材と、
を備えている、請求項１に記載の薬剤揮散装置収容体。
【請求項４】
前記第１収容部は、前記第１凹部を挟んで両側に配置され前記薬剤容器を挟持する一対の挟持部を備えており、
前記第１凹部、及び前記一対の挟持部の上方には、前記第２凹部から前記窓側へはみ出した前記揮散部を収容する空間が形成されている、請求項１から３のいずれかに記載の薬剤揮散装置収容体。
【請求項５】
前記梱包箱は、
上部に開口部を有する筒状の箱本体と、
前記箱本体の開口部を閉じる蓋部と、
を備え、
前記蓋部は、前記窓部とは反対側の端部がヒンジとして前記箱本体の開口部の縁部に固定されている、請求項１から４のいずれかに記載の薬剤揮散装置収容体。
【請求項６】
前記揮散部は、造花により構成されている、請求項１から５のいずれかに記載の薬剤揮散装置収容体。
【請求項７】
上部が開口した首部を有し、薬液が収容された薬剤容器を準備するステップと、
前記薬剤容器の開口に差し込み可能となっている吸液芯、及び当該吸液芯の先端部に取付けられ、装飾が施された揮散部、を有する揮散体を準備するステップと、
前記薬剤容器及び揮散体を支持する支持体であって、前記薬剤容器を着脱自在に収容可能な第１凹部を有する第１収容部、前記揮散体の揮散部を収容可能な第２凹部を有する第２収容部、及び前記第１及び第２収容部とは反対側を向く第３収容部、を備え、前記第２凹部が、前記薬剤容器の首部が配置される箇所において前記第１凹部と連通し、前記第２凹部に形成された貫通孔を介して前記第３収容部と連通する、支持体を準備するステップと、
前記支持体を収容するとともに、窓が設けられた梱包箱を準備するステップと、
前記支持体の前記第１凹部に前記薬剤容器を配置するステップと、
前記支持体の前記第２凹部に前記揮散体の揮散部を配置するとともに、前記揮散体の吸液芯を前記貫通孔を介して前記第２収容部から第３収容部へ延びるように配置するステップと、
当該支持体を、前記薬剤容器及び揮散体が前記窓を向くように、前記梱包箱に収容するステップと、
当該梱包箱を、前記窓が購買者を向くように陳列台に配置するステップと、
を備えている、薬剤揮散装置の陳列方法。
【発明の詳細な説明】
【技術分野】
【０００１】
本発明は、薬剤揮散装置収容体、及び薬剤揮散装置の陳列方法に関する。
【背景技術】
【０００２】
従来より、種々の形態の芳香装置が提案されており、例えば、非特許文献１には、造花により構成された揮散体が用いられている。より詳細に説明すると、この芳香装置は、芳香液が収容された薬液容器と、揮散体とを備え、揮散体は、造花により構成された揮散部と、これに連結された紐状の吸液芯とで構成されている。そして、使用時には吸液芯を薬液容器に差し込み、揮散体が薬剤容器の上方に配置されるようにする。これにより、芳香液は、吸液芯を伝って揮散部に供給され、ここから芳香液が外部に揮散することで、芳香効果を得ることができる。また、薬液容器の上方に揮散部が配置されることから、花瓶に花が挿された状態を模した芳香装置が構成される。したがって、この芳香装置は、インテリアとしても利用することができる。
【先行技術文献】
【非特許文献】
【０００３】
【非特許文献１】株式会社アート・ラボ、ソラフラワーディフューザー、[online]、株式会社アート・ラボのホームページ、［平成２４年１１月２９日検索］インターネット(URL:http://www.artlab.co.jp/products/eandf/products/efs1.html)
【発明の概要】
【発明が解決しようとする課題】
【０００４】
ところで、上記のような芳香装置は、販売場所でのディスプレイ効果を高めるため、これを収容する梱包箱には内部を視認できる窓が設けられていることが多い。ところが、上記のような芳香装置は、一般的に、薬剤容器と揮散体とが分離した状態で梱包箱に収容されるため、この状態では実際の使用状態、つまり、花瓶に花が挿されたような状態をイメージしにくい。そのため、このような梱包形態では、インテリアとしての効果を訴求し難かった。この問題は、上記のような芳香装置のみならず、揮散体を用いて消臭液、アロマオイルなどを揮散する揮散装置全般に共通する問題である。また、造花を揮散体として用いる場合のほか、揮散体に装飾が施され、薬液容器との組み立て後にインテリアとしても用いることができるような装置全般に係る問題である。本発明は、上記問題を解決するためになされたものであり、装飾された揮散体を用いた揮散装置を、使用状態をイメージできるように収容した薬剤揮散装置収容体及び薬剤揮散装置の陳列方法を提供することを目的とする。
【課題を解決するための手段】
【０００５】
本発明に係る揮散装置収容体は、上部が開口した首部を有し、薬液が収容された薬剤容器と、前記薬剤容器の開口に差し込み可能となっている吸液芯、及び当該吸液芯の先端部に取付けられ、装飾が施された揮散部、を有する揮散体と、前記薬剤容器及び揮散体を支持する支持体と、前記揮散体及び薬剤容器を支持した状態で前記支持体を収容するとともに、前記揮散体及び薬剤容器を外部から視認可能な窓が設けられた梱包箱と、を備え、前記支持体は、前記薬剤容器を着脱自在に収容可能な第１凹部を有する第１収容部と、前記揮散体の揮散部を収容可能な第２凹部を有する第２収容部と、前記揮散体の吸液芯が収容され、前記第１及び第２収容部とは反対側を向く、第３収容部と、を備え、前記第２凹部は、前記薬剤容器の首部が配置される箇所において前記第１凹部と連通し、前記第２凹部に形成された貫通孔を介して前記第３収容部と連通し、前記吸液芯が前記貫通孔を介して前記第２収容部から第３収容部へ延びるように配置可能である。
【０００６】
この構成によれば、薬剤容器と揮散体とが梱包箱に収容されており、使用時にはこれらを梱包箱から取り出し、吸液芯を薬剤容器の開口部へ挿入し、揮散部が薬剤容器の開口部の上に配置した上で使用される。この状態で薬液は吸液芯を伝って揮散部へ供給され、揮散部から外部へ揮散することで、消臭や芳香効果を得ることができる。
【０００７】
そして、本発明の揮散装置収容体では、使用前に薬剤容器及び揮散体が梱包箱に収容されているときに、使用状態を確認することができる。すなわち、梱包箱の内部の支持体では、揮散部を収容する第２凹部が、第１凹部において薬剤容器の首部が配置される箇所と連通している。そのため、梱包箱の内部では、揮散部は、薬剤容器の開口部の上部に配置され、この状態を梱包箱の窓から視認することができる。したがって、梱包箱に収容された状態で、使用状態を確認することができる。また、薬剤容器と揮散体の揮散部とが隣接して配置されるため、梱包箱内に無駄なスペースが生じるのを防止することができ、梱包箱をコンパクトにすることができる。
【０００８】
また、吸液芯は、貫通孔を介して第３収容部に収容されるため、薬剤容器を収容する第１収容部とは反対側に配置される。したがって、梱包箱の窓からは、薬剤容器に隠れて吸液芯が見えないようにすることができる。その結果、使用者は、より正確な使用状態をイメージすることができる。
【０００９】
上記揮散装置収容体においては、吸液芯が屈曲状態を維持可能に構成することができる。そのため、吸液芯を屈曲させ、貫通孔に係合するように配置することができる。こうすることで、吸液芯が貫通孔に保持されるため、揮散体全体を固定することができる。したがって、梱包箱の内部で揮散体が移動するのを防止することができる。その結果、揮散体が壊れやすい態様で形成されていたとしても、梱包箱の内部で壁にぶつかるなどして壊れるのを防止することができる。
【００１０】
具体的には、例えば、前記吸液芯を、薬液が浸透可能な材料で形成された紐状の本体部と、前記本体部の内部に当該本体部に沿って設けられ、塑性変形可能な線状の保形材と、で構成することができる。
【００１１】
上記揮散装置収容体においては、前記第１収容部は、前記第１凹部を挟んで両側に配置され前記薬剤容器を挟持する一対の挟持部を備えるように構成できる。そして、前記第１凹部、及び前記一対の挟持部の上方には、前記第２凹部から前記窓側へはみ出した前記揮散部を収容する空間を形成することができる。
【００１２】
この構成によれば、揮散部の配置される空間を広くすることができるため、揮散部が周囲の壁にぶつかって壊れるのを防止することができる。
【００１３】
上記揮散装置収容体においては、前記梱包箱を、上部に開口部を有する筒状の箱本体と、前記箱本体の開口部を閉じる蓋部と、で構成することができ、前記蓋部を、前記窓部とは反対側の端部がヒンジとして前記箱本体の開口部の縁部に固定することができる。このようにすると、梱包箱から薬剤容器及び揮散体を取り出すとき、窓側に配置された揮散部が蓋部とぶつかるのを防止することができる。特に、揮散部は、装飾が施されているため、壊れやすかったり、形態が変化しやすい可能性があるため、このように構成すると、有利である。
【００１４】
前記揮散部は、例えば、造花とすることができる。これにより、装飾効果を大きくすることができ、インテリアとしての利用価値が高まる。
【００１５】
また、本発明に係る薬剤揮散装置の陳列方法は、上部が開口した首部を有し、薬液が収容された薬剤容器を準備するステップと、前記薬剤容器の開口に差し込み可能となっている吸液芯、及び当該吸液芯の先端部に取付けられ、装飾が施された揮散部、を有する揮散体を準備するステップと、前記薬剤容器及び揮散体を支持する支持体であって、前記薬剤容器を着脱自在に収容可能な第１凹部を有する第１収容部、前記揮散体の揮散部を収容可能な第２凹部を有する第２収容部、及び前記第１及び第２収容部とは反対側を向く第３収容部、を備え、前記第２凹部が、前記薬剤容器の首部が配置される箇所において前記第１凹部と連通し、前記第２凹部に形成された貫通孔を介して前記第３収容部と連通する、支持体を準備するステップと、前記支持体を収容するとともに、窓が設けられた梱包箱を準備するステップと、前記支持体の前記第１凹部に前記薬剤容器を配置するステップと、前記支持体の前記第２凹部に前記揮散体の揮散部を配置するとともに、前記揮散体の吸液芯を前記貫通孔を介して前記第２収容部から第３収容部へ延びるように配置するステップと、当該支持体を、前記薬剤容器及び揮散体が前記窓を向くように、前記梱包箱に収容するステップと、当該梱包箱を、前記窓が購買者を向くように陳列台に配置するステップと、を備えている。
【発明の効果】
【００１６】
本発明に係る揮散装置収容体及び薬剤揮散装置の陳列方法によれば、装飾された揮散体を用いた揮散装置を、使用状態をイメージできるように収容することができる。
【図面の簡単な説明】
【００１７】
【図１】本発明の一実施形態に係る芳香装置の分解図である。
【図２】芳香装置の組立図である。
【図３】梱包箱の斜視図である。
【図４】支持体の斜視図である。
【図５】図４の側面図である。
【図６】図４の支持体に薬剤容器及び揮散体が保持された状態を示す斜視図である。
【図７】図６の側面図である。
【図８】芳香装置が収容された梱包箱の正面図である。
【発明を実施するための形態】
【００１８】
以下、本発明に係る薬剤揮散装置収容体を芳香装置の収容体に適用した場合の一実施形態について図面を参照しつつ説明する。この芳香装置収容体は、芳香剤を揮散する芳香装置を梱包箱に収容したものである。具体的には、芳香装置と、この芳香装置を収容する梱包箱と、この梱包箱の内部に収容され、芳香装置を支持する支持体と、で構成されている。なお、以下では、説明の便宜のため、図５の左側を正面側、右側を背面側と称し、他の図面についてもこの方向にしたがって、説明を行う。以下、これら各部材について詳細に説明する。
【００１９】
＜１．芳香装置＞
図１は芳香装置の分解図であり、図２は芳香装置の組立図である。本実施形態に係る芳香装置は、芳香液が収容された薬剤容器１と、この薬剤容器１に取り付けられる揮散体２とで構成されている。薬剤容器１は、プラスチックやガラスなどで形成されており、上部に開口が形成された容器本体１１と、この容器本体１１の開口部１１１を閉じる蓋材１２と、で構成されている。容器本体１１は、上部の径が小さい円柱状に形成されている。具体的には、円柱状の胴体部１１２、テーパ状の肩部１１３、及び径の小さい首部１１４が、下方から上方に向かってこの順で一体的に形成されている。首部１１４の上端は開口し、また首部１１４の外周面には雄ネジが形成されている。これにより、首部１１４には雄ネジによって上述した蓋材１２が着脱自在に固定されている。芳香装置が梱包箱３に収容されているときは、薬剤容器１の開口は蓋材１２で閉じられているが、使用時には蓋材１２が取り外され、後述するように、揮散体２が装着される。なお、薬剤容器１は、外部から芳香剤の残量が視認できるように少なくとも一部が透明または半透明であることが好ましい。
【００２０】
次に、揮散体２について説明する。揮散体２は、造花として形成された揮散部２１と、この揮散部２１から紐状に延びる吸液芯２２とで構成されている。揮散部２１は、造花として公知の方法で作成することができ、図１に示すような菊の花を模した形態のほか、薔薇の花のような形態など種々の形態とすることができる。また、揮散部２１は、芳香液を揮散できるような材料で形成することが必要であり、例えば、造花としてのリアリティを創出するため、花弁をソラの木の皮で作製することができる。
【００２１】
また、吸液芯２２は、紙、布などの液体が含浸可能な材料（本体部）により紐状に形成されており、一端部が揮散部２１の背面に固定されている。すなわち、吸液芯２２は、造花としての茎を模している。そして、吸液芯２２の自由端である他端部は、使用時に薬剤容器１の開口部１１１へ挿入され、薬剤容器１の芳香液に浸される。これにより、芳香液は吸液芯２２に含浸し、これを伝って揮散部２１へ供給される。また、吸液芯２２の一端部、つまり揮散部２１との連結部分から吸液芯２２の中間部には、針金（保形材）２２１が埋め込まれている。これにより、吸液芯２２は針金２２１を塑性変形させることで、針金２２１に沿った形状に変形させることができる。
【００２２】
＜２．梱包箱＞
図３は梱包箱の斜視図である。図３に示すように、本実施形態に係る梱包箱３は、上下方向に長い縦長の直方体であり、角筒状の箱本体３１を備えている。箱本体３１は、一部が透明に形成された正面板３１１、この正面板３１１の背面に配置される背面板３１２、及び正面板３１１と背面板３１２とを連結する一対の側面板３１３とで構成されている。正面板３１１は、商品として正面を向く面であり、例えば、商品の名称などが表示されている。そして、上述したように、一部が透明に形成される窓を設けることで、内部に収容された薬剤容器１や揮散体２を外部から視認できるようになっている。そして、箱本体３１の下面にはいわゆる地獄底（アメリカンロック）により閉鎖部３２が形成されている。また、箱本体３１の上部開口は、蓋部３３及び一対のフラップ３４によって閉じられている。蓋部３３は、背面板３１２の上端に折り曲げ可能に取り付けられ、一対のフラップ３４は、それぞれ側面板３１３の上端に折り曲げ可能に取り付けられている。蓋部３３は、箱本体３１の上部開口を覆う大きさに形成され、先端部には折り曲げ可能な先端フラップ３３１が設けられている。
【００２３】
＜３．支持体＞
図４は支持体の斜視図、図５は図４の側面図である。支持体４は、芳香装置を保持した状態で、梱包箱３に収容される部材であり、芳香装置を、梱包箱３の中で移動しないように固定する緩衝材として機能する。
【００２４】
図４及び図５に示すように、支持体４は、プラスチック、紙などの材料で形成されており、その色は特には限定されないが、例えば、透明または半透明にすることができる。支持体４は、梱包箱３の正面側を向く正面部４１と、この正面部４１の周縁に連結され、梱包箱３の蓋部３３、閉鎖部３２、及び一対の側面板３１３に沿って矩形状に形成された周縁部４２とで、構成されている。この構成により、支持体４の背面板側は、開放されており、ここに背面空間（第３収容部）４４が形成されている。正面部４１には、第１収容部４１１及び第２収容部４１２がこの順で下から上へ形成されている。第１収容部４１１には、薬剤容器１を収容し、両側及び下方が囲まれた第１凹部４３１が形成されている。より詳細には、第１凹部４３１を両側から挟むように一対の挟持部４３３が形成されるとともに、第１凹部４３１の下側には両挟持部４３３と連結し、薬剤容器１を下側から支持する支持部４３４が形成されている。また、第１収容部４１１が形成されている部分と対応する周縁部４２の前後方向の長さＸは、梱包箱３の側面板３１３と同じ長さであり、これによって、支持体４が梱包箱３の中で前後方向に動かないように固定される。
【００２５】
第２収容部４１２には、揮散体２が収容される正面視矩形状の第２凹部４３２が形成されている。第１凹部４３１と第２凹部４３２とは、平面視円弧状に形成された切り欠き４３５を介して連通している。この円弧状の切り欠き４３５には、後述するように、薬剤容器１の首部１１４が配置される。第２収容部４１２が形成されている部分と対応する周縁部４２の前後方向の長さＹは、第１収容部４１１と対応する周縁部４２の長さＸの約半分である。したがって、第２収容部４１２と梱包箱３の正面板３１１との間には、空間Ｓが形成される（図５参照）。このため、この空間Ｓと、第２収容部４１２の第２凹部４３２とを合わせた領域に、揮散体２の揮散部２１が配置される。特に、揮散部２１は造花であり、材料によっては壊れやすい可能性があるが、このような広い領域を確保することで、仮に揮散体が動いたとしても接触する壁面が減るため、壊れにくくなる。
【００２６】
また、第２凹部４３２には貫通孔４３８が形成されており、背面空間４４と連通している。さらに、第２凹部４３２の上方には、第２凹部４３２と連通する第３凹部４３７が形成されている。第３凹部４３７は正面視矩形状に形成されており、この第３凹部４３７と周縁部４２の上面との間に壁を形成している。したがって、ユーザは、第３凹部４３７に指を引っ掛けることができ、これによって、支持体４を上方へ引き上げて梱包箱３から取り出すことができる。
【００２７】
＜４．梱包形態＞
図６は支持体４に薬剤容器１及び揮散体２が保持された状態を示す斜視図、図７は図６の側面図である。図６及び図７に示すように、薬剤容器１及び揮散体２を梱包箱３に梱包するには、まず、薬剤容器１を支持体４の第１収容部４１１に配置する。具体的には、第１収容部４１１の第１凹部４３１に薬剤容器１を嵌め込む。このとき、薬剤容器１の首部１１４は、第１凹部４３１と第２凹部４３２との間の切り欠き４３５に嵌まり、薬剤容器１の蓋材１２が、第２凹部４３２の下部へやや突出した状態となる。続いて、揮散体２の吸液芯２２を第２凹部４３２の貫通孔４３８へ差し込み、吸液芯２２と揮散部２１との連結部分が貫通孔４３８付近に位置するまで、吸液芯２２を背面空間４４へ延ばしていく。この状態で、揮散部２１の背面側は、第２凹部４３２内に配置されるが、揮散部２１の正面側は第２収容部４１２から前面にやや飛び出した状態となる。ここで、梱包作業者は、図７に示すように、吸液芯２２が貫通孔４３８と係合するように、吸液芯２２の針金２２１を折り曲げる。こうして、揮散体２は支持体４に固定される。このとき、薬剤容器１の蓋材１２と隣接するように、揮散部２１が配置されるため、揮散部２１は薬剤容器１上に固定されたように見える。
【００２８】
以上のように、支持体４に薬剤容器１と揮散体２とが固定されると、これを梱包箱３に収納する。このとき、支持体４において薬剤容器１と揮散体２が配置されている側が、正面板３１１側を向くように、支持体４を梱包箱３に挿入する。これに続いて、蓋部３３を閉じれば、梱包が完了する。その後、この梱包箱３は、販売店の陳列台に配置されるが、その際には、梱包箱３の正面板３１１、つまり透明の窓が設けられた面が購買者を向くように配置される。
【００２９】
＜５．使用方法＞
続いて、使用方法について説明する。まず、梱包箱３の蓋部３３を開く。続いて、支持体４の第３凹部４３７に指を引っ掛け、支持体４を上方に引き上げる。このとき、蓋部３３は、背面板３１２側にヒンジを介して取付けられているため、支持体４の正面板３１１側に配置された揮散部２１が蓋部３３にぶつかるのを防止することができる（図７参照）。そして、支持体４を梱包箱３から取り出すと、支持体４から薬剤容器１及び揮散体２を取り外す。続いて、薬剤容器１の蓋材１２を取り外した後、薬剤容器１の開口部１１１に揮散体２の吸液芯２２を挿入する。これにより、図２に示すように、花が花瓶に挿された状態が模されるため、装飾効果を得ることができる。このとき、吸液芯２２は芳香液に浸されるため、芳香液は吸液芯２２を伝って揮散部２１へ供給される。そして、芳香液は揮散部２１から外部へ揮散し、芳香効果を得ることができる。
【００３０】
＜６．特徴＞
以上のように、上記実施形態によれば、支持体４において、揮散部２１を収容する第２凹部４３２が、第１凹部４３１において薬剤容器１の首部１１４が配置される箇所と連通している。そのため、図８に示すように、梱包箱３の内部で、揮散部２１は、薬剤容器１の開口部１１１に隣接して配置され、この状態を梱包箱３の正面板３１１から視認することができる。したがって、上述したように、梱包箱３が陳列台に配置されたときには、梱包箱３に収容された状態で、購買者が芳香装置の使用状態を確認することができる。
【００３１】
また、吸液芯２２は、貫通孔４３８を介して背面空間４４に収容されるため、薬剤容器１を収容する第１収容部４１１とは反対側に配置される。したがって、梱包箱３の正面板３１１からは、薬剤容器１に隠れて吸液芯２２が見えないようにすることができる。その結果、使用者は、より正確な使用状態をイメージすることができる。
【００３２】
＜７．変形例＞
以上、本発明の一実施形態について説明したが、本発明はこれに限定されるものではなく、その趣旨を逸脱しない限りにおいて種々の変更が可能である。例えば、上記実施形態では、揮散部２１は造花により構成されているが、これ以外でも、装飾が施され、薬剤容器１との組み合わせにインテリア的な効果を奏するものであればよい。また、薬剤容器１には、芳香液のほか、消臭液、アロマオイルなど、種々の薬剤を収容することができる。また、吸液芯２２は、ジュラコン芯、フェルト芯などを用いて屈曲状態を維持可能なものであればよく、例えばフェルト芯に針金等が埋め込まれているものであっても良い。
【００３３】
梱包箱３は、直方体状であるが、特には限定されず、多角柱状、円柱状であってもよい。
【符号の説明】
【００３４】
１  薬剤容器
２  揮散体
３  梱包箱
４  支持体
２１  揮散部
２２  吸液芯
３３  蓋部
４４  背面空間（第３収容部）
１１１  開口部
２２１  針金（保形材）
４１１  第１収容部
４１２  第２収容部
４３１  第１凹部
４３２  第２凹部
４３８  貫通孔
【図１】
2014234228.tif 000003
【図２】
2014234228.tif 000004
【図３】
2014234228.tif 000005
【図４】
2014234228.tif 000006
【図５】
2014234228.tif 000007
【図６】
2014234228.tif 000008
【図７】
2014234228.tif 000009
【図８】
2014234228.tif 000010